(57)【要約】【課題】単独で作られた１本の場合は無論として、多連のチューブ容器であっても、片手によりセット及び取外しが容易となる遠心機ローター及びその遠心機ローターを備える遠心機提供する。【解決手段】遠心機ローター２Ｒは、高速回転する回転軸に取り付けられ、水平部と水平部から上方へ向けて屈曲された屈曲部からなる回転体１０と、回転体の屈曲部の端縁部に沿って形成され、単一又は多連に形成されたチューブ容器５０の蓋部５４を内側、チューブ容器５０の底部５１を外側としてセットする上方が開放された有底溝１４と、有底溝１４の溝底まで挿入されたチューブ容器５０と接触し、チューブ容器５０のチューブ本体５２の上方への動きを規制する規制手段４５とを備えている。【選択図】図１
2015051406.tif 000002
【特許請求の範囲】
【請求項１】
高速回転する回転軸に取り付けられ、水平部と前記水平部から上方へ向けて屈曲された屈曲部からなる回転体と、
前記回転体の前記屈曲部の端縁部に沿って形成され、単一又は多連に形成されたチューブ容器の蓋部を内側、前記チューブ容器の底部を外側としてセットする上方が開放された有底溝と、
前記有底溝の溝底まで挿入された前記チューブ容器と接触し、前記チューブ容器のチューブ本体の上方への動きを規制する規制手段とを備えていることを特徴とする遠心機ローター。
【請求項２】
前記規制手段は、前記回転体の前記屈曲部の内側に対向配置され、前記有底溝の前記溝底まで前記チューブ本体が水平挿入された前記チューブ容器の蓋部と垂直面上に接触し合う押え板となっていることを特徴とする請求項１記載の遠心機ローター。
【請求項３】
前記押え板は、前記屈曲部より高く形成されていることを特徴とする請求項２記載の遠心機ローター。
【請求項４】
前記押え板は、前記屈曲部へ向かって常時付勢作用が働くばね板材で形成されていることを特徴とする請求項２又は３記載の遠心機ローター。
【請求項５】
前記規制手段は、前記回転体に取り付けられ、前記有底溝の前記溝底まで挿入された前記チューブ容器を上から押え前記チューブ本体の動きを拘束する一次位置と、前記チューブ本体から離れ押さえを解除する二次位置とに回動可能なチューブ押え部材となっていることを特徴とする請求項１記載の遠心機ローター。
【請求項６】
請求項1〜請求項５のいずれか1項に記載の遠心機ローターを遠心機本体内に備えていることを特徴とする遠心機。
【発明の詳細な説明】
【技術分野】
【０００１】
本発明は、例えば、患者から採取した喀痰等の生体試料と試薬とを撹拌するのに適する遠心機ローター及びその遠心機ローターを備えた遠心機に関する。
【背景技術】
【０００２】
一般に、試料と試薬とを撹拌させることで、例えば、試料中の標的物質の反応又は検出を行なうための蓋付きチューブ容器が知られている。蓋付きチューブ容器は、底が先細り状に形成された円筒状のチューブ本体と、チューブ本体の上方開放口を閉鎖する蓋部とからなり、蓋部はチューブ本体から延びる柔軟性のヒンジによって開閉自在に取付けられた一体構造になっている。蓋付きチューブ容器内には、試料との接触時に反応分析又は検出分析を行なうための試薬が予め設けられており、設ける場所としては、蓋部の内側やチューブ本体の内周面、あるいは、チューブ本体の底部に設けるタイプ等がある。（特許文献１、２参照）
いずれのタイプも、試薬と試料とを接触させるにあたって蓋付きチューブ容器を撹拌用の遠心機の遠心機ローターにセットして使用される。遠心機といっても多種多様なものが知られているが、特に、開発途上国向けに作られた遠心機にあっては、誰でも簡単に操作できるようにすることと、製造コストを低く抑えるために、単一機能で、かつ、小型、コンパクトに作られた製品となっていて既に製品化されている。その一例を図９に示す。
【０００３】
図９に示す従来の遠心機１００は、遠心機本体１０１内の内部空間内に遠心機ローター１０１Ｒが回転自在に配置され、内部空間の上方は開閉蓋１０２により開閉可能となっている。遠心機ローター１０１Ｒを構成する回転体１０３は、撹拌に必要な回転に制御される回転軸１０４に装着されている。回転体１０３は、矩形の板状に形成され、両端は、上方に向かって短く屈曲している。屈曲した屈曲端縁部１０５には、蓋付きチューブ容器２００を装着セットするための貫通した丸穴状のセット穴１０６が８個設けられたシンプルな形状となっている。
【０００４】
したがって、蓋付きチューブ容器２００が１つの時は、１つのセット穴１０６を選択して使用する。また、多連のチューブ容器２００が８連の場合には各セット穴１０６の全部を使用するもので、チューブ容器２００の底部２００Ｔを、回転軸１０４側となる内側からセット穴１０６に位置決めし、蓋部２００Ｈがセット穴１０６に当るまで一杯に挿入することで取付けられる。
【先行技術文献】
【特許文献】
【０００５】
【特許文献１】特許第５０５７２２８号公報
【特許文献２】特許第５２０９９９０号公報
【発明の概要】
【発明が解決しようとする課題】
【０００６】
前記した蓋付きチューブ容器２００は、単独で作られる１本の場合と、８連に作られた多連の場合とがあるが、特に多連のチューブ容器の場合には、１箇所を支持すると、その支持から離れたところでは自重によって垂れ下がる柔軟性を有する連結構造となり、一体の剛体構造にはなっていない。
【０００７】
このために、セット穴１０６に挿入セットされた多連のチューブ容器２００をセット穴１０６から外す時に、一部の蓋部を持って引き抜き方向へ引っ張っても、チューブ容器２００全体はセット穴１０６に引掛かって円滑に取外すことができないという問題があった。
【０００８】
この問題は、セット穴１０６が貫通した穴になっている点と、チューブ容器２００が柔軟性を有して連結された多連形状となっている点が大きく影響しているものと考えられる。即ち、セット穴１０６から多連のチューブ容器２００を取外すべく、チューブ容器２００の蓋部２００Ｈの一部を持って引っ張ると、その部分では挿入方向に沿って真直ぐ後退する引抜き作用が働くようになるが、そこから離れた領域では、挿入方向に沿って真直ぐ後退する引抜き作用として働かず、チューブ本体がセット穴１０６と強く接触し合う向きの抵抗作用として働くためと考えられる。
【０００９】
この問題点は、取外しにくいという作業性の面だけでなく、撹拌・反応完了後のチューブ容器２００を穴の縁にぶつける等の取外し衝撃によって内壁面に分散付着して分析結果に悪影響を与えるという重大な不具合があった。
【００１０】
そこで、本発明にあっては、単独で作られた１本の場合は無論として、多連のチューブ容器であっても、片手によりセット及び取外しが容易となる遠心機ローター及びその遠心機ローターを備えた遠心機を提供することを目的とする。
【課題を解決するための手段】
【００１１】
上記課題を達成するため、請求項１に記載の遠心機ローターは、高速回転する回転軸に取り付けられ、水平部と前記水平部から上方へ向けて屈曲された屈曲部からなる回転体と、前記回転体の前記屈曲部の端縁部に沿って形成され、単一又は多連に形成されたチューブ容器の蓋部を内側、前記チューブ容器の底部を外側としてセットする上方が開放された有底溝と、前記有底溝の溝底まで挿入された前記チューブ容器と接触し、前記チューブ容器のチューブ本体の上方への動きを規制する規制手段とを備えていることを特徴とする。
【００１２】
請求項１によれば、チューブ容器をセットする有底溝は、上方が開放されているため、開放された上方からチューブ容器を溝底へ向けて落下挿入することで、迅速容易にセットすることが可能になると共に、チューブ容器は規制手段によって上方への動きが規制されセット状態が確保される。また、溝底にある容器を上方へ持ち上げることで簡単円滑な取外しが可能となり作業の面でも大変好ましいものとなる。しかも、チューブ容器の取外しにあたって、以前のような取外し衝撃がなくなり良好な分析結果が得られる。
【００１３】
請求項２に記載の遠心機ローターでは、前記規制手段は、前記回転体の前記屈曲部の内側に対向配置され、前記有底溝の前記溝底まで前記チューブ本体が水平挿入された前記チューブ容器の蓋部と垂直面上に接触し合う押え板となっていることを特徴とする。
【００１４】
請求項２によれば、有底溝に対してチューブ本体は、水平に挿入されたセット状態におかれるため、高速回転時に、水平軸線に沿った遠心作用が働き有底溝から外れ出ようとする上向きの作用は発生せず、しかも保持作用として働く蓋部上面と押え板の垂直面との面状接触と相俟って確実で安定したチューブ容器の保持の確保が可能となる。
【００１５】
請求項３に記載の遠心機ローターでは、前記押え板は、前記屈曲部より高く形成されていることを特徴とする。
【００１６】
請求項３によれば、チューブ容器をセットする時に、図４中、二点鎖線で示すように屈曲部より高い部位の押え板の垂直面の蓋部の上面を突当て、そのまま垂直面に沿って下降させることで、この押え板がガイドとなり、簡単容易にチューブ容器を有底溝内へ挿入セットすることが可能となる。
【００１７】
請求項４に記載の遠心機ローターでは、前記押え板は、前記屈曲部へ向かって常時付勢作用が働くばね板材で形成されていることを特徴とする。
【００１８】
請求項４によれば、チューブ容器は、押え板による付勢作用でより確実な保持状態が確保される。
【００１９】
請求項５に記載の遠心機ローターでは、前記規制手段は、前記回転体に取り付けられ、前記有底溝の前記溝底まで挿入された前記チューブ容器を上から押え前記チューブ本体の動きを拘束する一次位置と、前記チューブ本体から離れ押さえを解除する二次位置とに回動可能なチューブ押え部材となっていることを特徴とする。
【００２０】
請求項５によれば、チューブ押え部材を一次位置とすることで有底溝にセットされたチューブ容器を上から押え、上方への動きを確実に拘束する。またチューブ押え部材を二次位置とすることで、有底溝に対するチューブ容器のセット及び取外し作業を迅速容易に行なうことが可能となる。
【００２１】
請求項６に記載の遠心機は、請求項1〜請求項５のいずれか1項に記載の遠心機ローターを遠心機本体内に備えていることを特徴とする。
【００２２】
請求項６によれば、チューブ容器が単独で作られた１本の場合は無論として多連のチューブ容器であっても、有底溝に対して確実なセット保持及び取外しが容易となり作業性の向上が図れる。また、分析結果に悪影響を与える取外し衝撃を軽減することができる。
【発明の効果】
【００２３】
本発明によれば、遠心機ロータに対するチューブ容器の装着作業性及び取外し作業性の向上を図ることができる。しかも、分析結果に悪影響を与えるとされる取外し衝撃を大幅に軽減することが可能となり、良好な分析結果が得られるようになる。
【図面の簡単な説明】
【００２４】
【図１】本発明の遠心機ローターを備えた遠心機の第１実施形態を示す斜視図である。
【図２】多連のチューブ容器の形状例を示す斜視図である。
【図３】図１に示す回転体と規制手段を拡大して示す斜視図である。
【図４】図３に示す回転体と規制手段の側面図である。
【図５】動作フローの例を示す図である。
【図６】本発明の第２実施形態の回転体と規制手段を示す斜視図である。
【図７】図６に示す第２実施形態の側面図である。
【図８】図７に示す第２実施形態をＶ方向から見た平面図である。
【図９】従来例を示す図である。
【発明を実施するための形態】
【００２５】
以下、図面を用いて、本発明を実施するための形態（以下、実施形態と称する）を説明する。
【００２６】
（第１実施形態）
図１は、本発明の遠心機ローターを備えた遠心機の第１実施形態を示す斜視図である。
【００２７】
図１に示す遠心機１は、遠心機本体２と、円形の開閉蓋３を有している。遠心機本体２は、上部に円形の開口部２Ａを有しており、この開口部２Ａの内部空間内には、遠心機ローター２Ｒが回転自在に配置されている。この遠心機ローター２Ｒを構成する回転体１０は、遠心機ローター２Ｒの回転軸４に装着されている。この回転軸４は、試料と検体を撹拌するのに必要な高速回転ができるように、図１では図示しないモータにより回転制御される。この回転体１０には回転時に後述するチューブ容器の飛び出しを規制する規制手段４５が取り付けられている。
【００２８】
図１に示すように、遠心機本体２の前面側には、操作パネル５が傾斜して配置されており、操作パネル５には、スタートボタン５Ａとストップボタン５Ｂが設けられている。遠心機本体２の上面には、スイッチ６が設けられている。開閉蓋３には、このスイッチ６に対応する位置に突起部３Ａが設けられている。これにより、開閉蓋３が遠心機本体２の開口部２Ａを閉じると、突起部３Ａがスイッチ６を押すことにより、スイッチ６から図１では図示しない制御部に対して信号が送られて、スタートボタン５Ａを押した場合にスタート可能になる。従って、突起部３Ａとスイッチ６は、開閉蓋３を閉めないと、遠心機１の動作のスタートができないような安全装置を構成している。
【００２９】
ここで、遠心機ロータ２Ｒの構造例を説明する前に、図２を参照して、検体を入れるための多連のチューブ容器５０の形状例を説明する。
【００３０】
図２は、多連のチューブ容器５０の形状例を示している。図２に示すように、チューブ容器５０は、試料と試薬とを撹拌させることで、例えば、試料中の標的物質の反応又は検出を行なうための蓋付きのチューブ容器である。この多連のチューブ容器５０は、底部５１が先細り状に形成された円筒状のチューブ本体５２と、このチューブ本体５２の上方開放口５３と、この上方開放口５３を着脱可能に閉鎖する蓋部５４と、面状接触部５９からなる。
【００３１】
面状接触部５９は、ヒンジ５５と、連結部５６から延長するようにして連続して形成されている。蓋部５４は、チューブ本体５２から延びる柔軟性のヒンジ５５によって、上方開放口５３を開閉自在になるように取付けられている。図２に示す例では、例えば８つのチューブ本体５２が、面状接触部５９の連結部５６により直列に連結接続されている。
【００３２】
チューブ容器５０内には、試料との接触時に反応分析又は検出分析を行なうための試薬が予め設けられており、試薬を設ける場所としては、例えば、蓋部５４の内側や、チューブ本体５２の内周面、あるいは、チューブ本体５２の底部５１に設けるタイプ等がある。本発明の実施形態では、試薬は、例えば蓋部５４の内側に設けられている。
【００３３】
次に、図３と図４を参照して、上述した遠心機ロータ２Ｒの構造例を順次説明する。
【００３４】
図３は、図１に示す遠心機ロータ２Ｒを拡大して示す斜視図であり、図４は、図３に示す遠心機ロータ２Ｒの側面図である。
【００３５】
図３と図４に示すように、遠心機ロータ２Ｒは、例えば共に金属板から作られており、高速回転する回転軸４の上端部に取り付けられている。モータ８は図５に基づくステップのプログラムが組込まれた制御部９からの制御信号により駆動される。モータ８の駆動により、回転軸は、例えば、回転中心軸ＣＬを中心にして高速回転可能であり、しかも回転中心軸ＣＬを中心として時計方向と反時計方向に、予め定めた角度だけ回転可能になっている。
【００３６】
図３と図４に示すように、回転体１０は、水平部１１と、この水平部１１から上方へ向けて屈曲され、対向配置された第１の屈曲部１２と第２の屈曲部１３から成る。図４に示すように、水平部１１は長方形の平坦な部分であり、第１の屈曲部１２は、水平部１１の一端部側から垂直に立ち上がっており、第２の屈曲部１３は、水平部１１の他端部側から９０度で立ち上がっている。
【００３７】
一方となる第１の屈曲部１２の端縁部１６には、この端縁部１６に沿って複数の有底溝１４が形成されている。これらの有底溝１４は、端縁部１６に沿って一定間隔毎に形成されており、各有底溝１４の上方は開放されている。しかも、有底溝１４を形成している屈曲ガイド部１５は、図４に示すように角度θで外側に傾斜されている。すなわち、第１の屈曲部１２の形成方向（垂直方向）Ｓ１に対して、屈曲ガイド部１５の形成方向Ｓ２は、角度θで傾いている。このように屈曲ガイド部１５は、斜め上側でありしかも外側に向かうことで、角度θ分、上方からの挿入開放口が広がる形状となっている。
【００３８】
図４に示すように、第１の屈曲部１２の端縁部１６の複数の有底溝１４は、単一又は多連に形成されたチューブ容器５０の蓋部５４を内側として、しかもチューブ容器５０の底部５１を外側としてセットするために、上方が開放された形状を採用している。
【００３９】
同様にして、他方となる第２の屈曲部１３の端縁部１６には、この端縁部１６に沿って複数の有底溝１４が形成されている。これらの有底溝１４は、端縁部１６に沿って一定間隔毎に形成されており、各有底溝１４の上方は開放されている。しかも、有底溝１４を形成している屈曲ガイド部１５は、図４に示すように角度θで外側に傾斜されている。すなわち、第２の屈曲部１３の形成方向（垂直方向）Ｓ１に対して、屈曲ガイド部１５の形成方向Ｓ２は、角度θで傾いている。このように屈曲ガイド部１５は、斜め上側でありしかも外側に向かうように形成されている。
【００４０】
図４に示すように、第２の屈曲部１３の端縁部１６の複数の有底溝１４は、単一又は多連に形成されたチューブ容器５０の蓋部５４を内側として、しかもチューブ容器５０の底部５１を外側としてセットするために、上方が開放された形状を採用している。なお、図３に示す各有底溝１４の深さＡは、図２に示すチューブ容器５０のチューブ本体５１の外径Ａと同じである。
【００４１】
次に、図３と図４を参照して、規制手段４５の構造例を説明する。
【００４２】
図３と図４に示す規制手段４５は、回転体１０の内側において、回転体１０に対向して配置されている。この規制手段４５は、平坦部４１と、対向配置された第１の起立部４２と第２の起立部４３とを有する押え板４０となっている。第１の起立部４２は、平坦部４１の一方の端部から垂直に立ち上げて形成され、第２の起立部４３は、平坦部４１の他方の端部から垂直（９０度）に立ち上げて形成されている。平坦部４１と第１の起立部４２と第２の起立部４３は、共に長方形に形成されている。
【００４３】
図４に示すように、押え板４０の第１の起立部４２と第２の起立部４３の形成高さＨ１は、回転体１０の第１の屈曲部１２と第２の屈曲部１３の形成高さＨ２に比べて、大きく設定されている。
【００４４】
図４に示すように、押え板４０の第１の起立部４２は、回転体１０の第１の屈曲部１２の内側に対して、間隔Ｄをおいて対向して平行に配置され、押え板４０の第２の起立部４３は、回転体１０の第２の屈曲部１３の内側に対して、間隔Ｄをおいて対向して平行に配置されている。
【００４５】
この間隔Ｄは、チューブ容器５０の蓋部５４の面状接触部５９を、第１の起立部４２の押え板４４と第１の屈曲部１２の内壁部との間と、第２の起立部４３と第２の屈曲部１３の内壁部との間に、それぞれ挟み込むことができる大きさである。これにより、押え板４０は、有底溝１４の溝底までチューブ本体５２が水平状態になるように、下方に向けて挿入された状態では、チューブ容器５０の蓋部５４の上面は、第１の起立部４２の外側の垂直面上と面状接触し、第２の起立部４３の外側の垂直面上とそれぞれ面状接触し合うようになっている。これにより、図４に示すように、押え板４０は、有底溝１４の溝底にチューブ容器５０を確実に拘束できる。
【００４６】
すでに説明したように、図４に示すこの押え板４０の第１，第２の起立部４２，４３の形成高さＨ１は、第１の屈曲部１２と第２の屈曲部１３の形成高さＨ２に比べて、高くなっている。これにより、形成高さＨ１とＨ２の高さの差が生れる第１，第２の起立部４２，４３の領域は、図４の二点鎖線で示すように蓋部５４の上面を突当てた状態でそのまま下降させることで、下方に向けて挿入する際のガイドとなり、有底溝１４の溝底までチューブ容器５０の挿入する動作が容易に行える。また、チューブ容器５０の蓋部５４を上方に向けて取り外す際のガイドにもなる。
【００４７】
しかも、第１の屈曲部１２の形成方向（垂直方向）Ｓ１に対して、屈曲ガイド部１５の形成方向Ｓ２は、角度θで傾いており、かつ第２の屈曲部１３の形成方向（垂直方向）Ｓ１に対して、屈曲ガイド部１５の形成方向Ｓ２は、角度θで傾いている分、挿入口が広がる形状となり有底溝１４の溝底までチューブ容器５０を挿入する動作が、容易に行える。このように、第１の屈曲部１２の屈曲ガイド部１５は、図２に示す面状接触部５９を、第１の屈曲部１２と第１の起立部４２の間に向けて誘導する機能を有し、第２の屈曲部１３の屈曲ガイド部１５は、図２に示す面状接触部５９を、第２の屈曲部１３と第２の起立部４３との間に向けて誘導する機能を有する。そして、押え板４０は、第１の屈曲部１２と第２の屈曲部１３へ向かって、常時付勢作用が働くばね板材で形成されている。これにより、押え板４０は、チューブ容器５０を、付勢作用を用いてより確実に押さえて保持する機能を有する。
【００４８】
次に、上述した遠心機１の使用例を説明する。
【００４９】
図２に示すチューブ容器５０の各チューブ本体５２の蓋部５２と面状接触部５９は、図４に示すように、第１の起立部４２と第１の屈曲部１２の間と、第２の起立部４３と第２の屈曲部１３の間に、それぞれ挟み込んで保持することができる。すなわち、第１の屈曲部１２の屈曲ガイド部１５は、図２に示す面状接触部５９を、第１の屈曲部１２と第１の起立部４２との間に向けて誘導し、第２の屈曲部１３の屈曲ガイド部１５は、図２に示す面状接触部５９を、第２の屈曲部１３と第２の起立部４３との間に向けて誘導することができる。
【００５０】
各チューブ容器５０の面状接触部５９が、垂直に立ち上がっている第１の屈曲部１２と第２の屈曲部１３の内壁面と面状接触し合うことで、各チューブ容器５０のチューブ本体５２の軸方向は、水平軸線ＨＬに沿った水平状態に保持することができる。図４に示すように各チューブ容器５０が水平状態に保持された状態では、蓋部５４のヒンジ５５が上側に位置されている。
【００５１】
これにより、水平軸線ＨＬに沿った遠心作用Ｆが、高速回転時にチューブ本体５２に働き、有底溝１４からチューブ本体５２が外れる上向きの作用は発生せず、第１，第２の起立部４２，４３とそれぞれ面状接触し合うチューブ容器５０の蓋部５４と相俟って、確実で安定したチューブ本体５２の保持の確保が可能になる。
【００５２】
図５は、本発明の第１実施形態の遠心機ローターを備えた遠心機１の動作例を示す動作フローである。
【００５３】
まずは、準備段階として、試薬が予めチューブ容器５０の中に設けられており、患者から採取した生体試料（結核等の場合には患者の喀痰）を、ピペット等を用いてチューブ容器５０内に入れた後、蓋部５４を閉めてチューブ容器５０を密封する。
【００５４】
その後、図２に示すチューブ容器５０を回転体（ローター）１０にセットする前に、チューブ容器５０を手で振って、試薬と生体試料とを予備撹拌する。次に、予備攪拌したチューブ容器５０の蓋部５４を内側、底部５１を外側として遠心機ローター２Ｒにセットする。このセット時において、例えば、蓋部５４上面を第１の起立部２の垂直面に突当て下降させることで、外側に開いた第１の屈曲部１２の屈曲ガイド部１５と相俟って円滑に有底溝の溝底に挿入セットされる。次に使用者が、図１に示すスタートボタン５Ａを押すと、図４に示す制御部９のプログラムに基づいた運転に入る。ステップＳ１では遠心機ローター２Ｒが低速（例えば約３ｒｐｍ）で、例えば９０秒間回転する。これにより、予備撹拌させたチューブ容器５０内の反応生成を助成する。
【００５５】
ステップＳ２では、遠心機ローター２Ｒが、９０度の角度設定範囲で、時計方向と反時計方向に、例えば２０００ｒｐｍに相当する速度で、９秒間回転する。これにより、チューブ容器５０内の試薬と試料が撹拌し反応接触し合う。この時に、チューブ容器５０が水平に保持されているために、試薬と試料の反応接触が確実となる。
【００５６】
次に、ステップＳ３では、遠心機ローター２Ｒが時計方向に例えば６秒間、例えば２０００ｒｐｍに相当する速度で、高速回転する。ステップＳ２の段階では、試薬と生体試料は、チューブ容器５０の内壁面に分散して付着しているので、ステップＳ３では、チューブ容器５０の高速回転時の、遠心力により反応試料をチューブ容器５０の底部に、集めることができる。
【００５７】
次下、ステップＳ４，Ｓ５により前記したステップＳ２，Ｓ３の動作を繰返し行う。動作完了後は、図示しないブザーが鳴る（ステップＳ６）ため、ステップＳ７においてユーザーが図１に示すストップボタン５Ｂを押してブザーが鳴るのを止める。ブザーを止めた後、蓋部５４の上面と例えば、第１の起立部４２の垂直面と接触し合う面状接触に抗してチューブ容器５０を上方へ持ち上げることで、分析検査の悪影響とされる取外し衝撃を避けて、円滑に有底溝１４からチューブ容器５０の取外しが行えるようになる。
【００５８】
（第２実施形態）
次に、本発明の第２実施形態を図６，図７，図８に基づき説明する。
【００５９】
図６は、本発明の第２実施形態の遠心機ロータを示す斜視図である。図７は、図６に示す第２実施形態の遠心機ロータを示す側面図である。図８は、図７に示す遠心機ロータをＶ方向から見た平面図である。
【００６０】
遠心機ロータ２Ｒの、回転体１０Ａと規制手段４５となるチューブ押え部材７０は金属板から作られている。回転体１０Ａは、第１実施形態の回転体１０と同一に作られている。具体的には、繰返すようになるが、水平部１１Ａと、この水平部１１Ａから上方へ向けて屈曲され、対向配置された第１の屈曲部１２Ａと、第２の屈曲部１３Ａからなる。水平部１１Ａは長方形の平坦な部分であり、第１の屈曲部１２Ａは、水平部１１Ａの一端部側から垂直に立ち上がっており、第２の屈曲部１３Ａは、水平部１１Ａの他端部側から垂直に立ち上がっている。
【００６１】
第１の屈曲部１２Ａの端縁部１６Ａには、第１の屈曲部１２Ａの端縁部１６Ａに沿って複数の有底溝１４が形成されている。これらの有底溝１４は、端縁部１６Ａに沿って一定間隔毎に形成されており、各有底溝１４の上方は開放されている。第１の屈曲部１２Ａの端縁部１６Ａの複数の有底溝１４は、単一又は多連に形成されたチューブ容器５０の蓋部５４を内側として、しかもチューブ容器５０の底部５１を外側としてセットするために、上方が開放された形状を採用している。
【００６２】
同様にして、第２の屈曲部１３Ａの端縁部１６Ａには、第２の屈曲部１３Ａの端縁部１６Ａに沿って複数の有底溝１４が形成されている。これらの有底溝１４は、端縁部１６Ａに沿って一定間隔毎に形成されており、各有底溝１４の上方は開放されている。第２の屈曲部１３Ａの端縁部１６Ａの複数の有底溝１４は、単一又は多連に形成されたチューブ容器５０の蓋部５４を内側として、しかもチューブ容器５０の底部５１を外側としてセットするために、上方が開放された形状を採用している。また、有底溝１４を形成している屈曲ガイド部１５は、図４に示す第１実施形態の場合と同様に、角度θで外側に傾斜されている。なお、この実施形態の場合、屈曲ガイド部１５は垂直であってもよい。
【００６３】
図６と図８に示すチューブ押え部材７０は、長く形成されている板状部材もしくは棒状部材であり、一方、チューブ押え部材７０の長さは、第１の屈曲部１２Ａと第２の屈曲部１３Ａの長さとほぼ同じである。チューブ押え部材７０の一端部７１は、回転体１０Ａの第１の屈曲部１２Ａの支持端部１２Ｔと、第２の屈曲部１３Ａの支持端部１３Ｔに対して、回転軸部７５を用いてそれぞれ取り付けられている。これにより、Ｒ１方向とＲ２方向に回動可能である。
【００６４】
チューブ押え部材７０の他端部７２は、ほぼＬ字型になっており、他端部７２は下向きに形成されている。チューブ押え部材７０の他端部７２は、回転体１０Ａの第１の屈曲部１２Ａの取付け端部１２Ｓと、第２の屈曲部１３Ａの端部１３Ｓに対して、それぞれはめ込むことで固定することができる。
【００６５】
これにより、チューブ押え部材７０は、チューブ容器５０の飛び出しを規制する。すなわち、チューブ押え部材７０はＲ１方向に回動することで、図７に示すように、チューブ容器５０のチューブ５２を有底溝１４の溝底まで挿入された状態で、上から押えてチューブ本体５２の動きを拘束する一次位置Ｐ１に保持できる。すなわち、チューブ押え部材７０は、下げることにより、チューブ押え部材７０の下面がチューブ本体５２の外径部分に接触して、チューブ本体５２を固定することが可能である。従って、有底溝１４の溝底にチューブ容器５０を確実に拘束できる。
【００６６】
しかも、図６に示すように、チューブ押え部材７０はＲ２方向に持ち上げることで、チューブ本体５２から離れ、押さえた状態を解除する二次位置Ｐ２に回動することができる。
【００６７】
以上、実施形態を挙げて本発明を説明したが、各実施形態は一例であり、特許請求の範囲に記載される発明の範囲は、発明の要旨を逸脱しない範囲内で種々変更できるものである。
【００６８】
また、一例として８連のチューブ容器を用いる例を示しているが、８連以外のものでも対応できる仕様構造としてもよい。
【符号の説明】
【００６９】
１      遠心機
２      遠心機本体
２Ａ    開口部
２Ｒ    遠心機ローター
３      開閉蓋
４      回転軸
１０    回転体
１１    回転体の水平部
１２，１３    回転体の屈曲部
１４    有底溝
１５    屈曲ガイド部
４５    規制手段
５０    チューブ容器
５１    チューブ容器の底部
５２    チューブ本体
５４    チューブ容器の蓋部
７０    チューブ押え部材
【図１】
2015051406.tif 000003
【図２】
2015051406.tif 000004
【図３】
2015051406.tif 000005
【図４】
2015051406.tif 000006
【図５】
2015051406.tif 000007
【図６】
2015051406.tif 000008
【図７】
2015051406.tif 000009
【図８】
2015051406.tif 000010
【図９】
2015051406.tif 000011